(57)【要約】【課題】パソコンで、会計データ入力作業等のように、多くの数値の入力作業をする場合、マウスで入力位置を指定してはキーボードのテンキー部で数値を入力するという動作を、何回も繰り返すことになる。そのため、テンキー部とマウスとの間で手を頻繁に行き来させなければならず、作業能率が悪く、作業員の疲労を増大させていた。【解決手段】マウス３にテンキー部８を搭載すると共に、マウス３の後端よりモード切換スイッチ９を突出させて設ける。モード切換スイッチ９は、マウスモードとテンキーモードとの切り換えを行うスイッチで、マウス３を持ったままの手首で操作する。マウス３に手を置いたままで入力位置の指定と数値の入力が出来るので、作業能率が良く、作業員の疲労が軽減される。【選択図】図１
2007323444.tif 000002
【特許請求の範囲】
【請求項１】
マウス本体とコンピュータへの接続コードとから成り、該コンピュータへの入力信号を発するためのマウスにおいて、
マウス本体の表面の前部に左クリックボタン及び右クリックボタンを含むマウス手段が設けられ、該マウス手段が操作されることによりマウス信号を発するマウス部と、
マウス本体の表面の後部にテンキーが設けられ、該テンキーが操作されることによりテンキー信号を発するテンキー部と、
マウス本体の後部より突出して設けられ、前記マウス信号をコンピュータへ入力するマウスモードと前記テンキー信号をコンピュータへ入力するテンキーモードとを切り換えるモード切換スイッチと
を具えたことを特徴とするマウス。
【発明の詳細な説明】
【技術分野】
【０００１】
本発明は、パソコンに入力するためのマウスに関するものである。
【背景技術】
【０００２】
パソコンに文字や数値等を入力するための装置としては、キーボードやマウスが使用される。入力する場合、まず入力位置を指定する操作をし、次に文字なり数値なりを入力する操作がなされる。
入力位置指定操作は、画面上のカーソル或いはポインタを、入力位置として指定したい位置に移動する操作であり、これにはマウスかキーボード上の矢印キーが使用される。矢印キーは、カーソルを縦か横に小刻みにしか移動できないが、マウスは広い範囲で速やかに移動することが出来る。そのため、どちらかと言うと、マウスの方がよく用いられている。
文字の入力操作は、キーボード上の文字キーにより行われ、数値の入力操作は、キーボード上の数値キー、またはテンキーにより行われる。
【０００３】
図３は、従来のマウスとキーボードによる操作を説明する図である。図３において、１はキーボード、２はテンキー部、３はマウス、４は接続コード、５は左クリックボタン、６は右クリックボタン、７はマウス本体である。図示はしてないが、キーボード１及びマウス３は、パソコン本体に接続される。
このような従来のマウス３やキーボード１において、マウス３で入力位置指定操作をしようとする場合、先ず右手でマウス３を掴み、マウス３を動かして左クリックボタン５をクリックして指定する。次に、そうして指定した位置に文字あるいは数値を入力するために、手でキーボード１上のキーを打って入力する。
【特許文献１】特開平０６−１３９０１５号公報
【発明の開示】
【発明が解決しようとする課題】
【０００４】
キーボード１上のテンキー部２は、会計データ入力作業等のように、多くの数値を入力する場合に便利なように設けられている。従って、そういう作業をする場合、マウス３で入力位置を指定してはテンキー部２で数値を入力し、またマウス３で入力位置を指定してはテンキー部２で数値を入力するという動作を、何回となく繰り返すことになる。
それはすなわち、テンキー部２とマウス３との間で、右手を頻繁に行ったり来たりさせなければならないということであり、作業能率を悪くすると共に、作業員の疲労を増大させるという問題点があった。
本発明は、このような問題点を解決することを課題とするものである。
【課題を解決するための手段】
【０００５】
前記課題を解決するため、本発明では、マウス本体とコンピュータへの接続コードとから成り、該コンピュータへの入力信号を発するためのマウスにおいて、マウス本体の表面の前部に左クリックボタン及び右クリックボタンを含むマウス操作手段が設けられ、該マウス操作手段が操作されることによりマウス信号を発するマウス部と、マウス本体の表面の後部にテンキーが設けられ、該テンキーが操作されることによりテンキー信号を発するテンキー部と、マウス本体の後部より突出して設けられ、前記マウス信号をコンピュータへ入力するマウスモードと前記テンキー信号をコンピュータへ入力するテンキーモードとを切り換えるモード切換スイッチとを具えることとした。
【発明の効果】
【０００６】
以上述べた如く、本発明のマウスによれば、次のような効果を奏する。
１．マウスにテンキー部を搭載したので、マウスに置いた手をキーボードに移動させなくとも、テンキーを操作することが可能となる。
これにより、会計データ入力作業等のように、多くの数値の入力作業をする場合、能率よく行うことが出来ると共に、作業員の疲労を軽減することも出来る。
２．マウスの後端に突出させて設けたモード切換スイッチを、マウスを持ったままの手首で操作し、マウスモードとテンキーモードとの切り換えが出来るようにしたので、マウスを持つ手の姿勢を殆ど変えることなく、マウスの操作を続けることが出来る。
これにより、手の安定した姿勢を数値入力の途中で崩すことなく、スムーズに入力作業を続けることが可能となる。
【発明を実施するための最良の形態】
【０００７】
以下、本発明の実施形態を図面に基づいて詳細に説明する。
図１は、本発明にかかわるマウスを示す図である。符号は図３のものに対応し、８はテンキー部、９はモード切換スイッチ、１０はマウス部である。
図３に示したような従来のマウスでは、マウス本体７の表面の内で使用されている部分は、左クリックボタン５と右クリックボタン６の部分であり、それ以外の表面（残りの表面）は使用されていなかった。そして、その残りの表面の広さは、携帯電話や電卓の小さく作られた数値キーの大きさを考えて見れば分かるように、テンキー部を少し小さめに作れば、搭載するには充分の広さである。
【０００８】
そこで本発明では、マウス３の残りの表面部分に、キーボード１のテンキー部に相当する機能を有するテンキー部８を、搭載するようにしたものである。このテンキー部８に対し、左クリックボタン５や右クリックボタン６等の、従来からあるマウス信号発生部分を、マウス部１０と言うことにする。
なお、従来のマウスには、左，右のクリックボタンの他にも操作手段（例、スクロールホイール等）が設けられたものがあるが、それらの操作手段もマウス部１０に含めるものとする。
【０００９】
図１のテンキー部８を構成するキーとしては、キーボードのテンキー部を構成している全てのキーであっても良いが、必ずしも全てのキーを備えなくともよい。テンキーの中でも、使用頻度が大のキーだけを選び出して備えるようにしても良い。時々しか使わないキーならば、そのキーを使う際、その都度キーボードに手を移動させても、たいした労力とはならないからである。
モード切換スイッチ９は、マウスモードとテンキーモードとを切り換えるためのスイッチである。ここにマウスモードとは、マウス部を構成するボタン等（例、左クリックボタン５）の操作により、マウス信号（例、左クリック信号）を発するモードのことであり、テンキーモードとは、テンキー部８のキーの操作により、テンキー信号（数値信号等）を発するモードのことである。
【００１０】
図２は、本発明にかかわるマウスの回路構成を示すブロック図である。符号は図１のものに対応し、９−１は切換片、９−２，９−３は固定接点である。
モード切換スイッチ９は、切換片９−１が固定接点９−２と固定接点９−３との間で、切り換わるようにされているスイッチである。そして、切換片９−１は接続コード４に接続され、固定接点９−２はマウス部１０に接続され、固定接点９−３はテンキー部８に接続されている。
図示の如く切換片９−１が固定接点９−２にオンされている状態でマウス操作を（例、左クリックボタン５をクリック）すれば、マウス信号（左クリック信号）が接続コード４を通ってパソコンに入力される。切換片９−１が固定接点９−３に切り換えられた状態でテンキー操作すれば、テンキー信号が入力される。
【００１１】
本発明ではモード切換スイッチ９を、図１に示す如く、マウス本体７の後部より後方に突出させて設けることとしている。その理由は、マウス３をつかんでいる手の手首部分（正確に言えば、掌と手首の境目付近の部分）で、スイッチ操作が出来るようにするためである。右手でマウス３をつかんだ場合、その手首部分は、マウス３の後方に位置することとなり、その部分は、通常、マウス３が置いてある机面なりマウスパッド面に着ける。
従って、その付近にモード切換スイッチ９を設けておけば、マウス３をつかんだ手の姿勢を殆ど変えることなく、容易にスイッチ操作をすることが出来る。この場合、手の姿勢を殆ど変えなくて良いから、マウス操作やテンキー操作をスムーズに続けることが可能となる。
【図面の簡単な説明】
【００１２】
【図１】本発明にかかわるマウスを示す図
【図２】本発明にかかわるマウスの回路構成を示すブロック図
【図３】従来のマウスとキーボードによる操作を説明する図
【符号の説明】
【００１３】
１…キーボード、２…テンキー部、３…マウス、４…接続コード、５…左クリックボタン、６…右クリックボタン、７…マウス本体、８…テンキー部、９…モード切換スイッチ、９−１…切換片、９−２，９−３…固定接点、１０…マウス部
【図１】
2007323444.tif 000003
【図２】
2007323444.tif 000004
【図３】
2007323444.tif 000005